(57)【要約】【課題】専門知識のない一般ユーザであっても、サーバ室の防犯、災害などに関するリスクの度合いや脆弱箇所の抽出を容易に把握することができ、サーバ室を最適化するための改善案を容易に知ることができるサーバ室最適化自動診断システムを提供する。【解決手段】サーバ室の状況に関する設問を格納するサーバ室状況設問ファイル１０４と、サーバ室の立体画像を格納する３Ｄ画像ファイル１０５と、サーバ室を最適化するための対策に関する情報を格納する最適化サーバ室構築ファイル１０６と、を備え、立体画像を表示しながら設問を表示し設問の回答の入力を受け、最適化対策と照合判定して見やすいグラフと改善項目とを出力する。【選択図】図１
2010198099.tif 000002
【特許請求の範囲】
【請求項１】
サーバ室の状況に関する設問を格納するサーバ室状況設問ファイルと、
サーバ室の立体画像を格納する３Ｄ画像ファイルと、
サーバ室を最適化するための対策に関する情報を格納するサーバ室構築ファイルと、
前記サーバ室の状況に関する設問と前記サーバ室の状況に関する設問に関する立体画像とを同時に、サーバ室の外から中に入ってゆく順序により表示する設問表示手段と、
前記サーバ室の状況に関する設問への回答と前記サーバ室を最適化するための対策に関する情報とを比較照合する比較照合判定手段と、
前記比較照合判定手段の判定結果を集計する判定結果集計手段と、
を備えるサーバ室最適化自動診断システム。
【請求項２】
前記設問表示手段は、前記サーバ室の状況に関する設問と前記サーバ室の状況に関する設問に関する立体画像とを指定された順序により表示する請求項１記載のサーバ室最適化自動診断システム。
【請求項３】
前記比較照合判定手段は、前記判定結果集計手段の算出した判定結果の集計が基準値以下の場合、サーバ室構築ファイルから読みだしたサーバ室を最適化するための対策に関する情報を改善項目として表示する請求項１記載のサーバ室最適化自動診断システム。
【発明の詳細な説明】
【技術分野】
【０００１】
本発明はサーバ室の防災、防犯の観点のリスクに関する改善方法の自動診断を行うシステムに関する。
【背景技術】
【０００２】
サーバ室を管理、運営する際には防犯、災害などに関するリスクや脆弱性が存在するかの調査が必要となる。また、リスクや脆弱性が発見された場合、改善方法の立案が必要となる。
【０００３】
しかし、このようなリスクや脆弱性の調査や対策の立案には専門の知識が必要であり、一般ユーザがリスクや脆弱性の調査や対策の立案を行うことは困難であった。
【０００４】
この点に関し、サーバ室の耐震性を向上させるための提案を行うシステムが提案されている（例えば、特許文献１）。
【先行技術文献】
【特許文献】
【０００５】
【特許文献１】特開２００７−２３３５５３号公報
【発明の概要】
【発明が解決しようとする課題】
【０００６】
しかし、特許文献１に記載の技術はサーバ室の耐震性に関する提案しか行わず、防犯や他の災害などに関するリスクや脆弱性は判定し得ない。
【０００７】
本発明の目的は、専門知識のない一般ユーザであっても、サーバ室の防犯、災害などに関するリスクの度合いや脆弱箇所の抽出を容易に把握することができ、サーバ室を最適化するための改善案を容易に知ることができるサーバ室最適化自動診断システムを提供することである。
【課題を解決するための手段】
【０００８】
本発明は、サーバ室の状況に関する設問を格納するサーバ室状況設問ファイルと、サーバ室の設置地域から室内部までをウォークスルーする立体画像を格納する３Ｄ画像ファイルと、サーバ室を最適化するための対策に関する情報を格納するサーバ室構築ファイルと、サーバ室の状況に関する設問とサーバ室の状況に関する設問に関する立体画像とを同時に表示する設問表示手段と、サーバ室の状況に関する設問への回答とサーバ室を最適化するための対策に関する情報とを比較照合する比較照合判定手段と、比較照合判定手段の判定結果を集計する判定結果集計手段と、を備えるサーバ室最適化自動診断システム。
【発明の効果】
【０００９】
本発明は、専門知識のない一般ユーザでもサーバ室の脆弱性やリスクの診断を容易に行うことが可能となり、改善項目を容易に知ることができるという効果がある。
【図面の簡単な説明】
【００１０】
【図１】サーバ室最適化自動診断システムの構成を表すブロック図である。
【図２】サーバ室状況設問ファイルのデータ構造を示す図である。
【図３】３Ｄ画像ファイルのデータ構造を示す図である。
【図４】最適化サーバ室構築ファイルのデータ構造を表す図である。
【図５】診断結果ファイルのデータ構造を示す図である。
【図６】サーバ室最適化自動診断システムの動作を表すフローチャートである。
【図７】サーバ室最適化自動診断システムの動作を表すフローチャートの続きである。
【図８】サーバ室最適化自動診断システムの動作を表すフローチャートの続きである。
【図９】サーバ室最適化自動診断システムの動作を表すフローチャートの続きである。
【図１０】サーバ室最適化自動診断システムの動作を表すフローチャートの続きである。
【図１１】サーバ室最適化自動診断システムの動作を表すフローチャートの続きである。
【図１２】サーバ室入口の状況入力画面を示す図である。
【図１３】サーバ室内の状況入力画面を示す図である。
【図１４】サーバ室診断結果を表す円グラフを示す図である。
【発明を実施するための形態】
【００１１】
以下、本発明の一実施形態を、図面を参照して詳細に説明する。図１は本実施形態のサーバ室最適化自動診断システムの構成を表すブロック図である。図１に示すように、サーバ室最適化自動診断システムは、入出力端末１０１と、ＣＰＵなどの演算装置１０２と、ＲＯＭやＲＡＭなどの記憶装置１０３と、サーバ室の状況に関する設問を格納するサーバ室状況設問ファイル１０４と、サーバ室の設置地域から室内部までをウォークスルーする立体画像を格納する３Ｄ画像ファイル１０５と、サーバ室を最適化するための対策に関する情報を格納する最適化サーバ室構築ファイル１０６と、ユーザのサーバ室の診断結果を格納する診断結果ファイル１０７と、サーバ室の最適化のための規格化をおこなう学会や団体などの基準値データを格納する学会・団体基準値データファイル１０８と、報告書を格納する報告書ファイル１０９と、を含む。
【００１２】
図２は、サーバ室状況設問ファイル１０４のデータ構造を示す図である。図２に示すように、サーバ室状況設問ファイル１０４は、サーバ室の設置地域に関する設問である「設置地域状況設問」と、サーバ室が設置されている建物の周辺の状況に関する設問である「設置建物周辺状況設問」と、サーバ室が設置されている建物に関する設問である「設置建物設問」と、サーバ室が設置されているフロアに関する設問である「設置フロア設問」と、サーバ室の入口に関する設問である「サーバ室入口設問」と、サーバ室の室内に関する設問である「サーバ室内設問」と、サーバ室の電源環境に関する設問である「サーバ室電源環境設問」と、サーバ室の空調環境に関する設問である「サーバ室空調環境設問」と、サーバ室の防災設備に関する設問である「サーバ室防災設備設問」と、を含む。
【００１３】
図３は、３Ｄ画像ファイル１０５のデータ構造を示す図である。図３に示すように、３Ｄ画像ファイル１０５は、サーバ室が設置される地域の画像である「地域別画像データ」と、サーバ室が設置される建屋の周辺の画像である「建屋周辺画像データ」と、サーバ室が設置される建物の状況の画像である「建物状況画像データ」と、サーバ室が設置されるフロアの状況の画像である「フロア状況画像データ」と、サーバ室の入口の状況の画像である「サーバ室入口画像データ」と、サーバ室の室内の画像データである「サーバ室内画像データ」と、サーバ室の電源環境の画像データである「サーバ室電源環境画像データ」と、サーバ室の空調に関する画像データである「サーバ室空調環境画像データ」と、サーバ室の防災設備に関する画像データである「サーバ室防災設備画像データ」と、を含む。
【００１４】
図４は、最適化サーバ室構築ファイル１０６のデータ構造を表す図である。図４に示すように、サーバ室の設置地域の状況として最適な環境の情報である「設置地域状況の最適データ」と、サーバ室を設置する建物周辺の状況として最適な環境の情報である「設置建物周辺状況の最適データ」と、サーバ室を設置する建物の状況として最適な環境の情報である「設置建物の最適データ」と、フロア内のサーバ室配置を最適化するための対策に関する情報である「設置フロアの最適データ」と、サーバ室入口の状況を最適化するための対策に関する情報である「サーバ室入口の最適データ」と、サーバ室内の状況を最適化するための対策に関する情報である「サーバ室内の最適データ」と、サーバ室の電源環境を最適化するための対策に関する情報である「サーバ室電源環境の最適データ」と、サーバ室の空調環境を最適化するための対策に関する情報である「サーバ室空調環境の最適データ」と、サーバ室の防災設備を最適化するための対策に関する情報である「サーバ室防災設備の最適データ」と、を含む。
【００１５】
図５は、診断結果ファイル１０７のデータ構造を示す図である。図５に示すように診断結果ファイル１０７は、サーバ室の属性を示す「サーバ室の概要」と、サーバ室の設置地域の状況診断結果である「設置地域状況の診断結果」と、サーバ室を設置する建物周辺の状況の診断結果である「設置建物周辺状況の診断結果」と、サーバ室を設置する建物の診断結果である「設置建物の診断結果」と、サーバ室を設置するフロアの状況の診断結果である「設置フロアの診断結果」と、サーバ室入口の状況の診断結果である「サーバ室入口の診断結果」と、サーバ室内の状況の診断結果である「サーバ室内の診断結果」と、サーバ室の電源環境の診断結果である「サーバ室電源環境の診断結果」と、サーバ室の空調環境の診断結果である「サーバ室空調環境の診断結果」と、サーバ室の防災設備の診断結果である「サーバ室防災設備の診断結果」と、を含む。
【００１６】
図６は、サーバ室最適化自動診断システムの動作を表すフローチャートである。サーバ室最適化自動診断システムは、サーバ室の状況に関する設問と、この設問に合わせたサーバ室の設置地域から室内部までのウォークスルー立体画像を同時に表示することにより、ユーザ自らが歩きながら診断しているような臨場感を与える設問表示手段と、サーバ室の状況に関する設問への回答とサーバ室を最適化するための対策に関する情報とを比較照合する比較照合判定手段と、比較照合判定手段の判定結果を集計する判定結果集計手段と、を備える。
【００１７】
設問表示手段は、サーバ室の状況に関する設問とサーバ室の状況に関する設問に関する立体画像とを指定された順序により表示するように構成することもできる。例えば、設問表示手段はサーバ室の状況に関する設問に関する立体画像を一つの画面上にサムネイル化して並べて表示し、ユーザによりクリックされたサムネイルが示すサーバ室の位置に関するサーバ室の状況に関するこの設問とサーバ室の状況に関する設問に関する立体画像とを表示するように構成することができる。
【００１８】
図６に示すように、ステップ６０１において、サーバ室最適化自動診断システムは入出力端末１０１からのサーバ室の属性の入力を受けて、診断結果ファイル１０７に登録する。サーバ室の属性は、例えば、客先サーバ室名、所在地、サーバ室面積、保有サーバ台数、サーバの用途などである。
【００１９】
ステップ６０２において、サーバ室最適化自動診断システムはサーバ室状況設問ファイル１０４からサーバ室の設置地域に関する設問を読みだし、３Ｄ画像ファイル１０５からサーバ室の設置地域に関する画像を読みだし、入出力端末１０１に表示するとともに入出力端末１０１から設問の回答であるサーバ室設置地域状況の入力を受ける。
【００２０】
サーバ室の設置地域に関する設問は、例えば、「洪水の危険性のある河川敷地域ですか」、「高波の危険性のある沿岸地域ですか」、「液状化の危険性のある埋め立て地域ですか」、「直下型地震の危険性のある活断層を含む地域ですか」、「大規模な火災・震災の危険性のある密集市街地ですか」などである。サーバ室最適化自動診断システムは回答を「ＹＥＳ」または「ＮＯ」をボタンボックスで選択できるように構成することができる。
【００２１】
ステップ６０３において、サーバ室最適化自動診断システムは最適化サーバ室構築ファイル１０６からサーバ室を最適化するための対策に関する情報を読みだし、入力されたデータとの照合を行い、サーバ室の設置地域の最適化ランクによるポイントの加算を行う。
【００２２】
例えば、「洪水の危険性のある河川敷地域ですか」という設問に対して、サーバ室最適化自動診断システムは事例風景画像を表示する。ユーザはユーザのサーバ室設置地域風景に近似する場合は「ＹＥＳ」、該当しない場合は「ＮＯ」を入出力装置１０１から選択する。「ＮＯ」が選択された場合、サーバ室最適化自動診断システムは最適化サーバ室構築ファイル１０６のサーバ室設置地域環境の最適化ランクのポイントとして加算する。
【００２３】
サーバ室最適化自動診断システムはこの回答に対するサーバ室を最適化するために必要な改善案がある場合は、この項目に関する改善案を最適化サーバ室構築ファイル１０６から読みだす。
【００２４】
ステップ６０４において、サーバ室最適化自動診断システムはサーバ室設置地域状況の診断結果であるポイント集計したカウンタの値と、改善案を診断結果ファイル１０７に出力する。
【００２５】
図７は、サーバ室最適化自動診断システムの動作を表すフローチャートの続きである。図７に示すように、ステップ７０１において、サーバ室最適化自動診断システムはサーバ室状況設問ファイル１０４からサーバ室の設置建物周辺状況に関する設問を読みだし、３Ｄ画像ファイル１０５からサーバ室の設置建物周辺状況に関する画像を読みだし、入出力端末１０１に表示するとともに入出力端末１０１から設問の回答であるサーバ室設置建物周辺状況の入力を受ける。
【００２６】
サーバ室の設置建物周辺に関する設問は、例えば、「近隣建物との距離は？」、「敷地と建物との位置関係は？」、「道路と敷地・建物との位置関係は？」、「火災の危険のある設備はありますか」、「電磁波の影響を受ける危険性のある設備はありますか？」などであり、サーバ室の設置建物周辺に関する設問に対する事例風景画像が数パターン表示される。ユーザは入出力端末１０１からユーザのサーバ室所在の建物周辺状況に近似するパターンを選択する。サーバ室最適化自動診断システムは回答を近似するパターンのボタンボックスで選択できるように構成することができる。
【００２７】
ステップ７０２において、サーバ室最適化自動診断システムは最適化サーバ室構築ファイル１０６から設問選択肢パターンに合わせたサーバ室の設置建物周辺の最適化ランクによるポイントを読みだし、選択入力されたデータとの照合を行い、ポイントの加算を行う。
【００２８】
例えば、「近隣建物との距離は？」という設問に対しては近隣建物との位置関係を示す風景画像が数パターン表示される。ユーザは入出力端末１０１からサーバ室所在の建物位置関係に類似するパターンのボタンボックスにて選択する。サーバ室最適化自動診断システムは防災、防犯の観点から近隣建物との距離関係として最適化サーバ室構築ファイル１０６に適合する選択肢であった場合、サーバ室の設置建物周辺の最適化ランクのポイントとして加算する。
【００２９】
サーバ室最適化自動診断システムはこの回答に対するサーバ室を最適化するために必要な改善案がある場合は、この項目に関する改善案を最適化サーバ室構築ファイル１０６から読みだす。
【００３０】
ステップ７０３において、サーバ室最適化自動診断システムはサーバ室設置建物周辺状況の診断結果であるポイント集計したカウンタの値と、改善案を診断結果ファイル１０７に出力する。
【００３１】
ステップ７０４において、サーバ室最適化自動診断システムはサーバ室状況設問ファイル１０４からサーバ室の設置建物状況に関する設問を読みだし、３Ｄ画像ファイル１０５からサーバ室の設置建物状況に関する画像を読みだし、入出力端末１０１に表示するとともに入出力端末１０１から設問の回答であるサーバ室設置建物状況の入力を受ける。
【００３２】
サーバ室の設置建物に関する設問は、例えば、「階数と建物面積は？」、「建物の用途は？」、「建物の構造種別は？」、「１９８１年以前の建築ですか」、「建物の平面形状と立体形状は？」、「外壁の仕様は？」、「窓・扉の仕様は」、などである。サーバ室最適化自動診断システムはサーバ室の設置建物状況に関する設問に対する事例を数パターン表示する。ユーザは入出力端末１０１からユーザのサーバ室所在の建物に近いパターンを選択する。サーバ室最適化自動診断システムは回答を該当するパターンをボタンボックスで選択できるように構成することができる。
【００３３】
ステップ７０５において、サーバ室最適化自動診断システムは最適化サーバ室構築ファイル１０６から設問選択肢パターンに合わせたサーバ室の設置建物周辺状況の最適化ランクによるポイントを読みだし、選択入力されたデータとの照合を行い、ポイントの加算を行う。
【００３４】
例えば、「１９８１年以前の建築ですか」という設問に対して、ユーザにより「ＹＥＳ」または「ＮＯ」が選択される。選択された回答が「ＮＯ」であった場合、サーバ室最適化自動診断システムは新耐震設計基準への法令適合建物として最適化サーバ室構築ファイル１０６のサーバ室最適化ランクに基づいてポイントを加算する。
【００３５】
「建物の平面形状と立体形状は？」という設問に対して、サーバ室最適化自動診断システムは建物平面形状画像を数パターン表示する。ユーザはユーザのサーバ室所在の建物平面形状の近似するパターンのボタンボックスにて選択する。サーバ室最適化自動診断システムは地震に対する建物形状の安定性の観点から最適化サーバ室構築ファイル１０６に適合する選択肢であった場合、サーバ室の設置建物状況の最適化ランクのポイントとして加算する。
【００３６】
サーバ室最適化自動診断システムはこの回答に対するサーバ室を最適化するために必要な改善案がある場合は、この項目に関する改善案を最適化サーバ室構築ファイル１０６から読みだす。
【００３７】
ステップ７０６において、サーバ室最適化自動診断システムはサーバ室設置建物状況の診断結果であるポイント集計したカウンタの値と、改善案を診断結果ファイル１０７に出力する。
【００３８】
図８は、サーバ室最適化自動診断システムの動作を表すフローチャートの続きである。図８に示すように、ステップ８０１において、サーバ室最適化自動診断システムはサーバ室状況設問ファイル１０４からサーバ室の設置フロア状況に関する設問を読みだし、３Ｄ画像ファイル１０５からサーバ室の設置フロア状況に関する画像を読みだし、入出力端末１０１に表示するとともに入出力端末１０１から設問の回答であるサーバ室設置フロア状況の入力を受ける。
【００３９】
サーバ室の設置フロアに関する設問は、例えば、「設置フロアな何階ですか？」、「フロアは一社占有ですか？」、「フロア平面上でのサーバ室設置位置と方位は？」、「共有部分との位置関係は？」、「水回りとの位置関係は？」、「データ保管室との位置関係は？」などである。サーバ室最適化自動診断システムはサーバ室の設置フロア配置状況に関する設問に対する事例を数パターン表示する。ユーザは入出力端末１０１からユーザのサーバ室所在のフロア配置状況に近いパターンを選択する。サーバ室最適化自動診断システムは回答を該当するパターンをボタンボックスで選択できるように構成することができる。
【００４０】
ステップ８０２において、サーバ室最適化自動診断システムは最適化サーバ室構築ファイル１０６から設問選択肢パターンに合わせたサーバ室の設置フロアの最適化ランクによるポイントを読みだし、選択入力されたデータとの照合を行い、ポイントの加算を行う。
【００４１】
例えば、「フロアは一社占有ですか？」という設問に対して、入力回答はユーザにより「ＹＥＳ」または「ＮＯ」が選択される。「ＹＥＳ」が選択された場合、サーバ室最適化自動診断システムは不特定の人が利用する場所から遠ざける犯罪防止の観点から最適化サーバ室構築ファイル１０６の最適化ランクに基づいてポイントを加算する。
【００４２】
サーバ室最適化自動診断システムは「共有部分との位置関係は？」という設問に対して、フロア平面における共有部とサーバ室のレイアウト事例画像を数パターン表示する。ユーザはユーザのサーバ室のフロア配置に近似するパターンのボタンボックスにて選択する。サーバ室最適化自動診断システムはフロア配置上の防犯対策の観点から最適化サーバ室構築ファイル１０６に適合する選択肢であった場合、サーバ室の設置フロアの最適化ランクのポイントとして加算する。
【００４３】
サーバ室最適化自動診断システムはこの回答に対するサーバ室を最適化するために必要な改善案がある場合は、この項目に関する改善案を最適化サーバ室構築ファイル１０６から読みだす。
【００４４】
ステップ８０３において、サーバ室最適化自動診断システムはサーバ室設置フロア状況の診断結果であるポイント集計したカウンタの値と、改善案を診断結果ファイル１０７に出力する。
【００４５】
ステップ８０４において、サーバ室最適化自動診断システムはサーバ室状況設問ファイル１０４からサーバ室の入口状況に関する設問を読みだし、３Ｄ画像ファイル１０５からサーバ室の入口状況に関する画像を読みだし、入出力端末１０１に表示するとともに入出力端末１０１から設問の回答であるサーバ室入口状況の入力を受ける。
【００４６】
サーバ室の入口状況に関する設問は、例えば、「サーバ室を特定する表示サインはありますか？」、「入り口扉の材質・仕様は？」、「入退出セキュリティシステムは？」、「とも連れ防止対策システムは？」、などである。サーバ室最適化自動診断システムはサーバ室入口状況に関する設問に対する事例を数パターン表示する。ユーザはユーザのサーバ室入口状況に近似するパターンを選択する。サーバ室最適化自動診断システムは回答を該当するパターンのボタンボックスで選択できるように構成することができる。
【００４７】
ステップ８０５において、サーバ室最適化自動診断システムは最適化サーバ室構築ファイル１０６から設問選択肢パターンに合わせたサーバ室入口の最適化ランクによるポイントを読みだし、選択入力されたデータとの照合を行い、ポイントの加算を行う。
【００４８】
例えば、「サーバ室を特定する表示サインはありますか？」という設問に対して、ユーザにより「ＹＥＳ」または「ＮＯ」が選択される。選択された回答が「ＮＯ」であった場合、サーバ室最適化自動診断システムはサーバ室を犯罪の標的から遠ざける対策の観点から最適化サーバ室構築ファイル１０６のサーバ室最適化ランクに基づいてポイントを加算する。
【００４９】
「入退出セキュリティシステムは？」という設問に対して、サーバ室最適化自動診断システムは「なし」、「非接触カードリーダ式」、「網膜虹彩認証式」、「指静脈認証式」などの事例を画像表示する。ユーザはユーザのサーバ室入口状況に近似するボタンボックスを選択する。サーバ室最適化自動診断システムはサーバ室入口の防犯対策の観点から最適化サーバ室構築ファイル１０６に適合する選択肢であった場合、サーバ室入口の最適化ランクのポイントとして加算する。
【００５０】
サーバ室最適化自動診断システムはこの回答に対するサーバ室を最適化するために必要な改善案がある場合は、この項目に関する改善案を最適化サーバ室構築ファイル１０６から読みだす。
【００５１】
ステップ８０６において、サーバ室最適化自動診断システムはサーバ室入口状況の診断結果であるポイント集計したカウンタの値と、改善案を診断結果ファイル１０７に出力する。
【００５２】
図９は、サーバ室最適化自動診断システムの動作を表すフローチャートの続きである。図９に示すように、ステップ９０１において、サーバ室最適化自動診断システムはサーバ室状況設問ファイル１０４からサーバ室内に関する設問を読みだし、３Ｄ画像ファイル１０５からサーバ室内に関する画像を読みだし、入出力端末１０１に表示するとともに入出力端末１０１から設問の回答であるサーバ室内状況の入力を受ける。
【００５３】
サーバ室内に関する設問は、例えば、「ＯＡフロアの仕様は？」、「情報機器の密集度は？」、「積載物品の地震対策状況は？」、「空気浄化対策はありますか？」、「２方向避難は可能ですか？」、「間仕切壁は不燃材仕様ですか？」、「サーバ室は、防火区画ですか？」、「壁材に電磁シールドを施していますか」、「暴徒対策は施していますか？」などである。サーバ室最適化自動診断システムはサーバ室内状況に関する設問に対してユーザにも解かり易い事例を数パターン表示する。ユーザは入出力端末１０１０からユーザのサーバ室内状況に近似するパターンを選択する。サーバ室最適化自動診断システムは回答を該当するパターンのボタンボックスで選択できるように構成することができる。
【００５４】
ステップ９０２において、サーバ室最適化自動診断システムは最適化サーバ室構築ファイル１０６から設問選択肢パターンに合わせたサーバ室内の最適化ランクによるポイントを読みだし、選択入力されたデータとの照合を行い、ポイントの加算を行う。
【００５５】
例えば、「ＯＡフロアの仕様は？」という設問に対して、サーバ室最適化自動診断システムはＯＡフロアの事例画像を仕様の視覚的や触感的な特徴を加えた、専門性のないユーザでも容易に判断できるパターンを数パターン表示する。ユーザは入出力端末１０１から該当するＯＡフロア状況のボタンボックスにて選択する。サーバ室最適化自動診断システムは床の耐荷重性，耐震性，ウィスカ対策などの観点から最適化サーバ室構築ファイル１０６に適合する選択肢であった場合、サーバ室内の最適化ランクのポイントとして加算する。
【００５６】
サーバ室最適化自動診断システムはこの回答に対するサーバ室を最適化するために必要な改善案がある場合は、この項目に関する改善案を最適化サーバ室構築ファイル１０６から読みだす。
【００５７】
ステップ９０３において、サーバ室最適化自動診断システムはサーバ室内の診断結果であるポイント集計したカウンタの値と、改善案を診断結果ファイル１０７に出力する。
【００５８】
ステップ９０４において、サーバ室最適化自動診断システムはサーバ室状況設問ファイル１０４からサーバ室の電源環境に関する設問を読みだし、３Ｄ画像ファイル１０５からサーバ室の電源環境に関する画像を読みだし、入出力端末１０１に表示するとともに入出力端末１０１から設問の回答であるサーバ室電源環境状況の入力を受ける。
【００５９】
サーバ室の電源環境に関する設問は、例えば、「電圧・周波数変動対策は？」、「無停電化対策は？」、「複数系受電対策は？」、「電力稼働監視、消費電力監視は？」、「雷サージ対策は？」、「電磁誘導保護対策は？」、「配線火災対策は？」などである。サーバ室最適化自動診断システムは電源環境の設問をユーザにも解かり易い事例で数パターン表示する。ユーザは入出力端末１０１からユーザのサーバ室電源環境に近似するパターンを選択する。サーバ室最適化自動診断システムは回答を該当するパターンをボタンボックスで選択できるように構成することができる。
【００６０】
ステップ９０５において、サーバ室最適化自動診断システムは最適化サーバ室構築ファイル１０６から設問選択肢パターンに合わせたサーバ室の電源環境最適化ランクによるポイントを読みだし、選択入力されたデータとの照合を行い、ポイントの加算を行う。
【００６１】
例えば、「雷サージ対策は？」という設問に対して、サーバ室最適化自動診断システムは「なし」あるいは「アレスタの設置」、「耐雷トランスの設置」などをユーザにも解かり易い説明を加えた事例画像として数パターン表示する。ユーザは入出力端末２０２０から該当するボタンボックスを選択する。サーバ室最適化自動診断システムは電源の安定供給の観点から最適化サーバ室構築ファイル１０６に適合する選択肢であった場合、サーバ室の電源環境の最適化ランクのポイントとして加算する。
【００６２】
サーバ室最適化自動診断システムはこの回答に対するサーバ室を最適化するために必要な改善案がある場合は、この項目に関する改善案を最適化サーバ室構築ファイル１０６から読みだす。
【００６３】
ステップ９０６において、サーバ室最適化自動診断システムはサーバ室電源環境の診断結果であるポイント集計したカウンタの値と、改善案を診断結果ファイル１０７に出力する。
【００６４】
図１０は、サーバ室最適化自動診断システムの動作を表すフローチャートの続きである。図１０に示すように、ステップ１００１において、サーバ室最適化自動診断システムはサーバ室状況設問ファイル１０４からサーバ室空調環境に関する設問を読みだし、３Ｄ画像ファイル１０５からサーバ室空調環境に関する画像を読みだし、入出力端末１０１に表示するとともに入出力端末１０１から設問の回答であるサーバ室空調環境状況の入力を受ける。
【００６５】
サーバ室空調環境に関する設問は、例えば、「冷房能力の適切性は？」、「無休稼働対策は？」、「情報機器の配置は？」、「漏水対策は？」、「故障時のバックアップ対策は？」、「屋外機の防護対策は？」などである。サーバ室最適化自動診断システムは空調環境の設問がユーザにも解かり易い事例で数パターン表示する。ユーザは入出力端末１０１からユーザのサーバ室空調環境に該当あるいは近似するパターンを選択する。サーバ室最適化自動診断システムは回答を該当あるいは近似するパターンのボタンボックスで選択できるように構成することができる。
【００６６】
サーバ室最適化自動診断システムはこの回答に対するサーバ室を最適化するために必要な改善案がある場合は、この項目に関する改善案を最適化サーバ室構築ファイル１０６から読みだす。
【００６７】
ステップ１００２において、サーバ室最適化自動診断システムは最適化サーバ室構築ファイル１０６から設問選択肢パターンに合わせたサーバ室の空調環境最適化ランクによるポイントを読みだし、選択入力されたデータとの照合を行い、ポイントの加算を行う。
【００６８】
例えば、「漏水対策は？」という設問に対して、サーバ室最適化自動診断システムは「なし」あるいは「防水ドレンパンの設置」、「漏水検知器の設置」などをユーザにも解かり易い説明を加えた事例画像として数パターン表示する。ユーザは入出力端末１０１から該当するボタンボックスを選択する。サーバ室最適化自動診断システムは空調環境の安定性の観点から最適化サーバ室構築ファイル１０６に適合する選択肢であった場合、サーバ室の空調環境の最適化ランクのポイントとして加算する。
【００６９】
サーバ室最適化自動診断システムはこの回答に対するサーバ室を最適化するために必要な改善案がある場合は、この項目に関する改善案を最適化サーバ室構築ファイル１０６から読みだす。
【００７０】
ステップ１００３において、サーバ室最適化自動診断システムはサーバ室空調環境の診断結果であるポイント集計したカウンタの値と、改善案を診断結果ファイル１０７に出力する。
【００７１】
ステップ１００４において、サーバ室最適化自動診断システムはサーバ室状況設問ファイル１０４からサーバ室の防災設備に関する設問を読みだし、３Ｄ画像ファイル１０５からサーバ室の防災設備に関する画像を読みだし、入出力端末１０１に表示するとともに入出力端末１０１から設問の回答であるサーバ室防災設備状況の入力を受ける。
【００７２】
サーバ室の防災設備に関する設問は、例えば、「初期火災の感知設備はありますか？」、「専用消火設備はありますか？」、「地震感知設備はありますか？」、などである。サーバ室最適化自動診断システムは防災設備の設問がユーザにも解かり易い事例で数パターン表示する。ユーザは入出力端末１０１からユーザのサーバ室防災設備に近似するパターンを選択する。サーバ室最適化自動診断システムは回答を該当するパターンをボタンボックスで選択できるように構成することができる。
【００７３】
サーバ室最適化自動診断システムはこの回答に対するサーバ室を最適化するために必要な改善案がある場合は、この項目に関する改善案を最適化サーバ室構築ファイル１０６から読みだす。
【００７４】
ステップ１００５において、サーバ室最適化自動診断システムは最適化サーバ室構築ファイル１０６から設問選択肢パターンに合わせたサーバ室の防災環境の最適化ランクによるポイントを読みだし、選択入力されたデータとの照合を行い、ポイントの加算を行う。
【００７５】
例えば、「専用消火設備はありますか？」という設問に対して、サーバ室最適化自動診断システムは「なし」あるいは「粉末消火設備の設置」、「不活性ガス消化設備の設置」などをユーザにも解かり易い説明を加えた事例画像として数パターン表示する。ユーザは入出力端末１０１から該当するボタンボックスを選択する。サーバ室最適化自動診断システムはサーバ室に適した防火対策の観点から最適化サーバ室構築ファイル１０６に適合する選択肢であった場合、サーバ室の防災環境の最適化ランクのポイントとして加算する。
【００７６】
サーバ室最適化自動診断システムはこの回答に対するサーバ室を最適化するために必要な改善案がある場合は、この項目に関する改善案を最適化サーバ室構築ファイル１０６から読みだす。
【００７７】
ステップ１００６において、サーバ室最適化自動診断システムはサーバ室電源環境の診断結果であるポイント集計したカウンタの値と、改善案を診断結果ファイル１０７に出力する。
【００７８】
図１１は、サーバ室最適化自動診断システムの動作を表すフローチャートの続きである。図１１に示すように、ステップ１１０１においてサーバ室最適化自動診断システムは診断結果ファイル１０７からカウンタの値を読みだしてポイントの集計を行う。集計は、例えば、「レイアウト性」、「防犯性」、「地震対策」、「火災対策」、「水害対策」、「ウィスカ・電磁波・静電気対策」、「電源安定供給」、「空調調和環境」などの項目ごとに集計し５段階評価に換算する。
【００７９】
ステップ１１０２において、サーバ室最適化自動診断システムは集計結果を円グラフなどのグラフに可視化し、入出力端末１０１に表示する。サーバ室最適化自動診断システムはユーザが任意に指定したサーバ室の最適化のための規格化をおこなう学会や団体などの基準値データを学会・団体基準値データファイル１０８より読み込み、円グラフ上にプロットする。これによりユーザは基準値に対しての脆弱箇所を容易に把握することが出来る。
【００８０】
ステップ１１０３において、サーバ室最適化自動診断システムは報告書を生成して報告書ファイル１０９に登録する。ステップ１１０４において、サーバ室最適化自動診断システムは報告書を印刷し、処理を終了する。
【００８１】
図１２は、サーバ室入口の状況入力画面を示す図である。図１３は、サーバ室内の状況入力画面を示す図である。図１２及び図１３に示すように、サーバ室最適化自動診断システムは設問に関するサーバ室の位置の立体画像を表示する。設問はサーバ室の入口から中に入っていくように設定されているため、ユーザは自分がサーバ室に立ち入って点検する感覚で、各設問に答えることができる。
【００８２】
図１４は、サーバ室診断結果を表す円グラフを示す図である。図１４に示すように、診断結果の円グラフと共に、改善項目が表示される。この改善項目は比較照合判定手段が、判定結果集計手段の算出した判定結果の集計が、ユーザが任意に指定したサーバ室の最適化のための規格化をおこなう学会や団体などの基準値データ以下の場合、サーバ室構築ファイルから読みだしたサーバ室を最適化するための対策に関する情報を改善項目として表示するものである。このグラフと改善項目をユーザが読むことにより、ユーザは容易にサーバ室の脆弱な項目を把握することができ、対策を知ることができる。
【００８３】
以上述べたように、本実施形態のサーバ室最適化自動診断システムは、サーバ室の状況に関する設問を格納するサーバ室状況設問ファイル１０４と、サーバ室の立体画像を格納する３Ｄ画像ファイル１０５と、サーバ室を最適化するための対策に関する情報を格納する最適化サーバ室構築ファイル１０６と、を備え、立体画像を表示しながら設問を表示し設問の回答の入力を受け、最適化対策と照合判定して見やすいグラフと改善項目とを出力する。このため、専門知識のない一般ユーザでもサーバ室の脆弱性やリスクの診断を容易に行うことが可能となり、改善項目を容易に知ることができるという効果がある。
【符号の説明】
【００８４】
１０１：入出力端末、
１０２：演算装置、
１０３：記憶装置、
１０４：サーバ室状況設問ファイル、
１０５：３Ｄ画像ファイル、
１０６：サーバ室構築ファイル、
１０７：診断結果ファイル、
１０８：学会、団体基準値データファイル、
１０９：報告書ファイル。
【図１】
2010198099.tif 000003
【図２】
2010198099.tif 000004
【図３】
2010198099.tif 000005
【図４】
2010198099.tif 000006
【図５】
2010198099.tif 000007
【図６】
2010198099.tif 000008
【図７】
2010198099.tif 000009
【図８】
2010198099.tif 000010
【図９】
2010198099.tif 000011
【図１０】
2010198099.tif 000012
【図１１】
2010198099.tif 000013
【図１２】
2010198099.tif 000014
【図１３】
2010198099.tif 000015
【図１４】
2010198099.tif 000016